【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
複数の機能を実行可能な多機能処理装置であって、
複数の機能のそれぞれに対応する複数のプログラムを記憶する第１記憶手段と、
前記複数のプログラムに含まれるいずれかのプログラムを記憶する第２記憶手段と、
前記多機能処理装置が起動する際に、第２記憶手段に記憶されたプログラムをメモリにロードした後に、前記第２記憶手段に記憶されたプログラムとは異なる他のプログラムを前記第１記憶手段から前記メモリにロードするロード制御手段と、
前記ロード制御手段により前記メモリにロードされたプログラムを実行する実行手段と、
前記複数の機能のうち優先的に起動する機能を判定する判定手段と、
前記判定手段により優先的に起動すると判定された機能に対応するプログラムであって前記第１記憶手段に記憶されたプログラムを、前記第２記憶手段に記憶するよう決定する決定手段と、
を有することを特徴とする多機能処理装置。
【請求項２】
前記メモリにロードされたプログラムに対応する機能が実行可能である旨を表示する手段を更に有することを特徴とする請求項１に記載の多機能処理装置。
【請求項３】
前記決定手段は、前記多機能処理装置の電源がオフされる前に前記実行手段により実行されていた機能に対応するプログラムを、前記第２記憶手段に記憶するよう決定することを特徴とする請求項１又は２に記載の多機能処理装置。
【請求項４】
時刻情報を提供する提供手段と、
前記多機能処理装置の起動時に優先的に起動する機能を、時刻情報と対応付けて保持する保持手段を更に有し、
前記決定手段は、前記提供手段により提供される時刻情報に対応付けて前記保持手段に保持されている機能に対応するプログラムを、前記第２記憶手段に記憶するよう決定することを特徴とする請求項１乃至３のいずれか１項に記載の多機能処理装置。
【請求項５】
前記決定手段は、前記多機能処理装置の電源がオンされた後、或いは前記多機能処理装置が省電力状態から復帰した後、最初に利用された機能に対応するプログラムを、前記第２記憶手段に記憶するよう決定することを特徴とする請求項１乃至４のいずれか１項に記載の多機能処理装置。
【請求項６】
前記第２記憶手段は、前記第１記憶手段よりも高速に動作することを特徴とする請求項１乃至５のいずれか１項に記載の多機能処理装置。
【請求項７】
複数の機能のそれぞれに対応する複数のプログラムを記憶する第１記憶手段と、前記複数のプログラムに含まれるいずれかのプログラムを記憶する第２記憶手段を有する多機能処理装置の制御方法であって、
前記多機能処理装置が起動する際に、前記第２記憶手段に記憶されたプログラムをメモリにロードする第１のロード工程と、
前記第２記憶手段に記憶されたプログラムが前記メモリにロードされた後に、前記第２記憶手段に記憶されたプログラムとは異なる他のプログラムを前記第１記憶手段から前記メモリにロードする第２のロード工程と、
前記メモリにロードされたプログラムを実行する実行工程と、
前記複数の機能のうち優先的に起動する機能を判定する判定工程と、
前記判定工程にて優先的に起動すると判定された機能に対応するプログラムであって前記第１記憶手段に記憶されたプログラムを、前記第２記憶手段に記憶するよう決定する決定工程と、
を有することを特徴とする多機能処理装置の制御方法。
【請求項８】
複数の機能のそれぞれに対応する複数のプログラムを記憶する第１記憶手段と、前記複数のプログラムに含まれる何れかのプログラムを記憶する第２記憶手段を有するコンピュータに、
前記コンピュータが起動する際に、前記第２記憶手段に記憶されたプログラムをメモリにロードする第１のロード工程と、
前記第２記憶手段に記憶されたプログラムが前記メモリにロードされた後に、前記第２記憶手段に記憶されたプログラムとは異なる他のプログラムを前記第１記憶手段から前記メモリにロードする第２のロード工程と、
前記メモリにロードされたプログラムを実行する実行工程と、
前記複数の機能のうち優先的に起動する機能を判定する判定工程と、
前記判定工程にて優先的に起動すると判定された機能に対応するプログラムであって前記第１記憶手段に記憶されたプログラムを、前記第２記憶手段に記憶するよう決定する決定工程と、
を実行させることを特徴とするプログラム。
【手続補正２】
【補正対象書類名】明細書
【補正対象項目名】０００６
【補正方法】変更
【補正の内容】
【０００６】
本願発明の特徴は、多機能処理装置が起動する際に、多機能処理装置が実行可能な複数の機能のそれぞれに対応する複数のプログラムのうち、優先的に立ち上げるプログラムを変更できるようにして、ユーザの利便性を更に向上させた多機能処理装置及びその制御方法を提供することにある。
【手続補正３】
【補正対象書類名】明細書
【補正対象項目名】０００７
【補正方法】変更
【補正の内容】
【０００７】
上記目的を達成するために本発明の一態様に係る多機能処理装置は以下のような構成を備える。即ち、
複数の機能を実行可能な多機能処理装置であって、
複数の機能のそれぞれに対応する複数のプログラムを記憶する第１記憶手段と、
前記複数のプログラムに含まれるいずれかのプログラムを記憶する第２記憶手段と、
前記多機能処理装置が起動する際に、第２記憶手段に記憶されたプログラムをメモリにロードした後に、前記第２記憶手段に記憶されたプログラムとは異なる他のプログラムを前記第１記憶手段から前記メモリにロードするロード制御手段と、
前記ロード制御手段により前記メモリにロードされたプログラムを実行する実行手段と、
前記複数の機能のうち優先的に起動する機能を判定する判定手段と、
前記判定手段により優先的に起動すると判定された機能に対応するプログラムであって前記第１記憶手段に記憶されたプログラムを、前記第２記憶手段に記憶するよう決定する決定手段と、を有することを特徴とする。
【手続補正４】
【補正対象書類名】明細書
【補正対象項目名】０００８
【補正方法】変更
【補正の内容】
【０００８】
上記目的を達成するために本発明の一態様に係る多機能処理装置の制御方法は以下のような工程を備える。即ち、
複数の機能のそれぞれに対応する複数のプログラムを記憶する第１記憶手段と、前記複数のプログラムに含まれるいずれかのプログラムを記憶する第２記憶手段を有する多機能処理装置の制御方法であって、
前記多機能処理装置が起動する際に、前記第２記憶手段に記憶されたプログラムをメモリにロードする第１のロード工程と、
前記第２記憶手段に記憶されたプログラムが前記メモリにロードされた後に、前記第２記憶手段に記憶されたプログラムとは異なる他のプログラムを前記第１記憶手段から前記メモリにロードする第２のロード工程と、
前記メモリにロードされたプログラムを実行する実行工程と、
前記複数の機能のうち優先的に起動する機能を判定する判定工程と、
前記判定工程にて優先的に起動すると判定された機能に対応するプログラムであって前記第１記憶手段に記憶されたプログラムを、前記第２記憶手段に記憶するよう決定する決定工程と、を有することを特徴とする。
【手続補正５】
【補正対象書類名】明細書
【補正対象項目名】００１０
【補正方法】変更
【補正の内容】
【００１０】
本発明によれば、多機能処理装置が起動する際に、多機能処理装置が実行可能な複数の機能のそれぞれに対応する複数のプログラムのうち、優先的に起動すると判定された機能に対応するプログラムを優先的に実行することができる。
【手続補正６】
【補正対象書類名】明細書
【補正対象項目名】００３３
【補正方法】変更
【補正の内容】
【００３３】
このフローチャートで示される処理は、機能ロード管理テーブル１６００とＲＯＭロード指示フラグ１６１０の状態に応じて、ＲＯＭ１１２０又はＨＤＤ１１３０から機能プログラムをＲＡＭ１１１０にロードすると共に機能ロード管理テーブル１６００のロード済みフラグの状態を更新する処理を示している。ここでは、プログラムロードポインタを用いて指示したプログラム毎に、優先起動が選択されている場合にはプログラムをロードする７また、ＲＯＭロード指示フラグ１６１０が「ｔｒｕｅ」ではないときには、優先起動が選択されていない場合でもプログラムが未ロードの場合にはそのプログラムをロードする。
【手続補正７】
【補正対象書類名】明細書
【補正対象項目名】００９５
【補正方法】変更
【補正の内容】
【００９５】
これは図２４の初期動作機能情報１７４０を更新する場合の一例を示すフローチャートにおいては、ステップＳ４６までの処理が実行された時の各状態を示す図である。従って、ここでは初期動作機能情報保持部１７４０のスキャン機能に対応する優先機能フラグが「true」となり、Write finishフラグ１７３０が「finish」に変更されている。